(57)【要約】  本発明は、近距離通信ユニットを有する取り外し可能な記憶媒体に関する追加情報の提供を可能にする方法、データ処理装置、及びコンピュータプログラム、このような追加情報を取得するための方法、データ処理装置、及びコンピュータプログラム、並びにこのような取り外し可能な記憶媒体に関する。データ処理装置（１０）の制御装置（２２）は、データ処理装置に接続されたとき、データファイルを記憶媒体（１８）に格納し、ユーザがデータファイルに関する追加データを選択すると、この追加データを近距離通信ユニット（２０）に格納する。近距離通信読出しユニット（３０）は、無線読出し信号を近距離通信ユニット（２０）へ送信し、上記追加データを含む応答を受信する。制御装置（２２）は、上記追加データをデータ処理装置のユーザに提示する。
2009541824.tif 000002
【特許請求の範囲】
【請求項１】
近距離通信ユニット（２０）を有する取り外し可能な記憶媒体（１８）に関する追加情報の提供を可能にする方法であって、
前記記憶媒体（１８）がデータ処理装置（１０）に接続されたとき、前記データ処理装置（１０）を介して、データファイルを前記記憶媒体（１８）に格納するステップ（３１）と、
ユーザが少なくともいくつかの前記データファイルに関して提供される追加データ（３２）を選択したとき（３４）、当該追加データを前記近距離通信ユニット（２０）に格納するステップ（３６）と、
を有することを特徴とする方法。
【請求項２】
少なくともいくつかの前記追加データを自動的にフェッチするステップを更に有することを特徴とする請求項１に記載の方法。
【請求項３】
前記追加データは、格納されたファイルからフェッチされることを特徴とする請求項２に記載の方法。
【請求項４】
前記追加データは、少なくともいくつかのファイルに関連づけられたメタデータからフェッチされることを特徴とする請求項２又は３に記載の方法。
【請求項５】
前記追加データは、前記データファイルがフェッチされたフォルダのフォルダ名を含むことを特徴とする請求項２乃至４のいずれか１項に記載の方法。
【請求項６】
前記追加データは、少なくとも１つのデータファイルに関連づけられた日付情報を含むことを特徴とする請求項２乃至５のいずれか１項に記載の方法。
【請求項７】
前記ユーザから追加データを受信するステップを更に有することを特徴とする請求項１乃至６のいずれか１項に記載の方法。
【請求項８】
近距離通信ユニット（２０）を有する取り外し可能な記憶媒体（１８）に接続されたデータ処理装置（１０）であって、
前記記憶媒体（１８）との第１の電気的インタフェース（２４）と、
前記近距離通信ユニット（２０）とのインタフェース（２６）と、
ユーザからの入力を受信するためのユーザインタフェース（１２）と、
制御装置（２２）であって、
前記記憶媒体（１８）が前記電気的インタフェース（２４）に接続されたとき、データファイルを前記記憶媒体（１８）に格納し、
ユーザが少なくともいくつかの前記データファイルに関して提供される追加データを前記ユーザインタフェース（１２）を介して選択したとき、前記近距離通信ユニット（２０）との前記インタフェース（２６）を介して、当該追加データを前記近距離通信ユニット（２０）に格納する
ように構成された制御装置（２２）と、
を備えることを特徴とするデータ処理装置（１０）。
【請求項９】
前記制御装置（２２）は更に、少なくともいくつかの前記追加データを自動的にフェッチすることを特徴とする請求項８に記載のデータ処理装置（１０）。
【請求項１０】
前記追加データは、格納されたファイルからフェッチされることを特徴とする請求項９に記載のデータ処理装置（１０）。
【請求項１１】
前記追加データは、少なくともいくつかのファイルによって関連づけられたメタデータからフェッチされることを特徴とする請求項９又は１０に記載のデータ処理装置（１０）。
【請求項１２】
前記追加データは、前記データファイルがフェッチされたフォルダのフォルダ名を含むことを特徴とする請求項９乃至１１のいずれか１項に記載のデータ処理装置（１０）。
【請求項１３】
前記追加データは、少なくとも１つのデータファイルに関連づけられた日付情報を含むことを特徴とする請求項９乃至１２のいずれか１項に記載のデータ処理装置（１０）。
【請求項１４】
前記制御装置（２２）は更に、前記ユーザから追加データを受信することを特徴とする請求項８乃至１３のいずれか１項に記載のデータ処理装置（１０）。
【請求項１５】
近距離通信ユニット（２０）を有する取り外し可能な記憶媒体（１８）に接続されたデータ処理装置（１０）であって、
前記記憶媒体（１８）が前記データ処理装置（１０）に接続されたとき、データファイルを前記記憶媒体（１８）に格納する手段（２２）と、
ユーザが少なくともいくつかの前記データファイルに関して提供される追加データを選択したとき、前記追加データを前記近距離通信ユニット（２０）に格納する手段（２２）と、
を備えることを特徴とするデータ処理装置（１０）。
【請求項１６】
近距離通信ユニット（２０）を有する取り外し可能な記憶媒体（１８）に関する追加情報の提供を可能にするためのコンピュータプログラムであって、当該コンピュータプログラムがデータ処理装置（１０）にロードされたとき、当該データ処理装置に、
前記記憶媒体（１８）が前記データ処理装置（１０）に接続されたとき、データファイルを前記記憶媒体（１８）に格納するステップ、
ユーザが、少なくともいくつかの前記データファイルに関して提供される追加データを選択したとき、当該追加データを前記近距離通信ユニット（２０）に格納するステップ、
を実行させるためのコンピュータプログラム。
【請求項１７】
近距離通信ユニット（２０）を有するとともに、複数のデータファイルが中に記憶されている、取り外し可能な記憶媒体（１８）に関する追加情報をデータ処理装置（１０）において取得する方法であって、
無線読出し信号を前記記憶媒体（１８）の近距離通信ユニット（２０）へ送信するステップ（４０）と、
少なくともいくつかの前記データファイルに関する追加データを含む応答を前記近距離通信ユニット（２０）から受信するステップ（４２）と、
前記追加データを前記データ処理装置（１０）のユーザに対して提示する（４４）ステップと、
を有することを特徴とする方法。
【請求項１８】
近距離通信ユニット（２０）を有するとともに、複数のデータファイルが中に記憶されている、取り外し可能な記憶媒体（１８）に関する追加情報を取得するデータ処理装置（１０）であって、
近距離通信読出しユニット（３０）と、
制御装置（２２）であって、
無線読出し信号を前記記憶媒体（１８）の前記近距離通信ユニット（２０）へ送信するよう前記近距離通信読出しユニット（３０）に命令し、
少なくともいくつかの前記データファイルに関する追加データを含む応答を前記近距離通信ユニット（２０）から受信し、
情報提示ユニット（１４）を介して、前記追加データをユーザに提示する
ように構成された制御装置（２２）と、
を備えることを特徴とするデータ処理装置（１０）。
【請求項１９】
前記情報提示ユニット（１４）を更に備えることを特徴とする請求項１８に記載のデータ処理装置（１０）。
【請求項２０】
前記データ処理装置は携帯電子装置であることを特徴とする請求項１８又は１９に記載のデータ処理装置（１０）。
【請求項２１】
前記携帯電子装置は携帯通信装置であることを特徴とする請求項２０に記載のデータ処理装置（１０）。
【請求項２２】
前記携帯通信装置は携帯電話機であることを特徴とする請求項２１に記載のデータ処理装置（１０）。
【請求項２３】
近距離通信ユニット（２０）を有するとともに、複数のデータファイルが中に記憶されている取り外し可能な記憶媒体（１８）に関する追加情報を取得するデータ処理装置（１０）であって、
無線読出し信号を前記記憶媒体（１８）の近距離通信ユニット（２０）へ送信する手段（３０）と、
少なくともいくつかの前記データファイルに関する追加データを含む応答を前記近距離通信ユニットから受信する手段（２２）と、
前記追加データを前記データ処理装置のユーザに対して提示する手段（２２）と、
を備えることを特徴とするデータ処理装置（１０）。
【請求項２４】
近距離通信ユニット（２０）を有する取り外し可能な記憶媒体（１８）に関する追加情報の提供を可能にするためのコンピュータプログラムであって、当該コンピュータプログラムがデータ処理装置（１０）にロードされたとき、当該データ処理装置に、
前記記憶媒体（１８）の近距離通信ユニット（２０）への無線読出し信号の送信を命令するステップ、
少なくともいくつかの前記データファイルに関する追加データを含む応答を前記近距離通信ユニット（２０）から受信するステップ、
前記追加データを前記データ処理装置（１０）のユーザに対して提示するステップ、
を実行させるためのコンピュータプログラム。
【請求項２５】
近距離通信ユニット（２０）を有する取り外し可能な記憶媒体（１８）であって、
前記記憶媒体（１８）は、ユーザによって格納された複数のデータファイルを含み、
前記近距離通信ユニット（２０）は、少なくともいくつかの前記データファイルに関する追加データを含む
ことを特徴とする記憶媒体（１８）。
【発明の詳細な説明】
【技術分野】
【０００１】
本発明は、リムーバブル (removable) 記憶媒体に関する追加情報 (additional information) の提供に関する。より詳細には、本発明は、近距離通信 (near field communication) ユニットを装備したリムーバブル記憶媒体に関する追加情報の提供を可能にする方法、近距離通信ユニットを装備したリムーバブル記憶媒体に接続されたデータ処理装置、近距離通信ユニットを装備したリムーバブル記憶媒体に関する追加情報の提供を可能にするコンピュータプログラム、近距離通信ユニットを装備したリムーバブル記憶媒体に関する追加情報をデータ処理装置において取得する方法、近距離通信ユニットを装備したリムーバブル記憶媒体に関する追加情報を取得するデータ処理装置、近距離通信ユニットを装備したリムーバブル記憶媒体に関する追加情報の提供を可能にするコンピュータプログラム、近距離通信ユニットを装備したリムーバブル記憶媒体、に関する。
【背景技術】
【０００２】
リムーバブル記憶媒体は、例えば、フレキシブルディスクやＣＤ−ＲＯＭディスクの形のようなデータ記憶媒体としてしばらくの間ユーザにより用いられていた。従来、これらの媒体はかなり大きなものであり、どのようなコンテンツが含まれているかをペンでディスク面に書くことができる広さの表面を有していた。しかし、近年、これらの媒体はより小型になり、例えばＵＳＢメモリ及びメモリスティックなどの形で提供できるようになってきている。その結果、近年ではかかる情報を書き込む表面は実質的に存在しなくなっていて、特に、ユーザがこのような媒体を多数有している場合、このような記憶媒体の中に何が入っているかを知ることが困難になっている。
【０００３】
ユーザは、何が記憶されているかを知るために、普通サイズのコンピュータ又は携帯電話などの携帯電子装置のような自分のデータ処理装置に記憶媒体をロードする必要があり、その時点まで、どのような情報がその記憶デバイスに記憶されているかを知ることはできない。特に、ユーザが使用したいと思う媒体を発見するまで、ユーザが複数のこのようなリムーバブル記憶媒体をチェックしなければならない場合、データ処理装置内への記憶媒体のロードは、ユーザにとって面倒である上、時間がかかることが考えられる。
【０００４】
近年、いわゆるＮＦＣ（Near Field Communication）チップも進化してきた。このチップは、２つの装置が互いに物理的接触状態にあるとき使用されるものである。これらのチップは通常、ブルートゥース（登録商標）通信のような近距離の無線通信の設定用として、あるいは電子支払い方式に関して使用されている。
【０００５】
したがって、上述の問題に鑑み、ユーザがコンテンツを簡単に発見するために、リムーバブル記憶媒体にどのようなコンテンツが含まれているかに関する情報を提供する代替方法に対する要望が存在する。
【発明の概要】
【発明が解決しようとする課題】
【０００６】
したがって、本発明は、ユーザがコンテンツを簡単に発見するために、リムーバブル記憶媒体にどのようなコンテンツが含まれているかに関する情報を提供する代替方法を提供することを目的とするものである。
【０００７】
本発明の１つの目的は、ユーザがコンテンツを簡単に発見するために、リムーバブル記憶媒体に関する追加情報の提供を可能にする方法を提供することである。
【課題を解決するための手段】
【０００８】
本発明の第１の態様によれば、上記目的は、近距離通信ユニットを有する取り外し可能な記憶媒体に関する追加情報の提供を可能にする方法によって達成される。該方法は、
前記記憶媒体がデータ処理装置に接続されたとき、前記データ処理装置を介して、データファイルを前記記憶媒体に格納するステップと、
ユーザが少なくともいくつかの前記データファイルに関して提供される追加データを選択したとき、当該追加データを前記近距離通信ユニットに格納するステップと、
を有することを特徴とする。
【０００９】
本発明の第２の態様は第１の態様の特徴を含み、少なくともいくつかの追加データを自動的にフェッチするステップを更に有する。
【００１０】
本発明の第３の態様は第２の態様の特徴を含み、追加データは格納されたファイルからフェッチされる。
【００１１】
本発明の第４の態様は第２の態様の特徴を含み、追加データは少なくともいくつかのファイルによって関連づけられたメタデータからフェッチされる。
【００１２】
本発明の第５の態様は第２の態様の特徴を含み、追加データは、上記データファイルがフェッチされたフォルダのフォルダ名を含む。
【００１３】
本発明の第６の態様は第２の態様の特徴を含み、追加データは少なくとも１つのデータファイルに関連づけられた日付情報を含む。
【００１４】
本発明の第７の態様は第１の態様の特徴を含み、ユーザから追加データを受信するステップを更に有する。
【００１５】
本発明の別の目的は、ユーザがコンテンツを簡単に発見するために、リムーバブル記憶媒体にどのようなコンテンツが含まれているかに関する情報を提供する代替方法の提供を可能にする、リムーバブル記憶媒体に接続されたデータ処理装置を提供することである。
【００１６】
本発明の第８の態様によれば、上記目的は、近距離通信ユニットを有する取り外し可能な記憶媒体に接続されたデータ処理装置によって達成される。該データ処理装置は、
記憶媒体との第１の電気的インタフェースと、
近距離通信ユニットとのインタフェースと、
ユーザからの入力を受信するためのユーザインタフェースと、
制御装置であって、
前記記憶媒体が電気的インタフェースに接続されたとき、データファイルを前記記憶媒体に格納し、
ユーザが少なくともいくつかの前記データファイルに関して提供される追加データを前記ユーザインタフェースを介して選択したとき、前記近距離通信ユニットとの前記インタフェースを介して、当該追加データを前記近距離通信ユニットに格納する
ように構成された制御装置とを備えることを特徴とする。
【００１７】
本発明の第９の態様は第８の態様の特徴を含み、前記制御装置は更に、少なくともいくつかの追加データを自動的にフェッチする。
【００１８】
本発明の第１０の特徴は第９の態様を含み、追加データは格納されたファイルからフェッチされる。
【００１９】
本発明の第１１の態様は第９の態様の特徴を含み、追加データは、少なくともいくつかのファイルによって関連づけられたメタデータからフェッチされる。
【００２０】
本発明の第１２の態様は第９の態様の特徴を含み、追加データは、データファイルがフェッチされたフォルダのフォルダ名を含む。
【００２１】
本発明の第１３の態様は第９の態様の特徴を含み、追加データは少なくとも１つのデータファイルに関連づけられた日付情報を含む。
【００２２】
本発明の第１４の態様は第８の態様の特徴を含み、制御装置は更に、前記ユーザから追加データを受信する。
【００２３】
本発明の第１５の態様は、近距離通信ユニットを有する取り外し可能な記憶媒体に接続されたデータ処理装置に係り、該データ処理装置は、
前記記憶媒体が前記データ処理装置に接続されたとき、データファイルを前記記憶媒体に格納する手段と、
ユーザが少なくともいくつかの前記データファイルに関して提供される追加データを選択したとき、前記追加データを前記近距離通信ユニットに格納する手段と、
を備えることを特徴とする。
【００２４】
本発明の別の目的は、近距離通信ユニットを装備したリムーバブル記憶媒体にどのようなコンテンツが含まれているかに関する情報を提供して、ユーザがコンテンツを簡単に発見できるようにする代替方法の提供を可能にするコンピュータプログラムを提供することである。
【００２５】
本発明の第１６の態様によれば、上記目的は、近距離通信ユニットを有する取り外し可能な記憶媒体に関する追加情報の提供を可能にするためのコンピュータプログラムにより達成される。このコンピュータプログラムがデータ処理装置の中へロードされたとき、当該データ処理装置に、
前記記憶媒体が前記データ処理装置に接続されたとき、データファイルを前記記憶媒体に格納するステップ、
ユーザが、少なくともいくつかの前記データファイルに関して提供される追加データを選択したとき、当該追加データを前記近距離通信ユニットに格納するステップ、
を実行させる。
【００２６】
本発明の別の目的は、ユーザがコンテンツを簡単に発見するために、リムーバブル記憶媒体に関する追加情報を提供する方法を提供することである。
【００２７】
本発明の第１７の態様によれば、上記目的は、近距離通信ユニットを有するとともに、複数のデータファイルが中に記憶されている、取り外し可能な記憶媒体に関する追加情報をデータ処理装置において取得する方法によって達成される。該方法は、
無線読出し信号を前記記憶媒体の近距離通信ユニットへ送信するステップと、
少なくともいくつかの前記データファイルに関する追加データを含む応答を前記近距離通信ユニットから受信するステップと、
前記追加データを前記データ処理装置のユーザに対して提示するステップと、
を有することを特徴とする。
【００２８】
本発明の別の目的は、リムーバブル記憶媒体に接続されたデータ処理装置であって、リムーバブル記憶媒体にどのようなコンテンツが含まれているかに関する情報を提供して、ユーザがコンテンツを簡単に発見できるようにする代替方法を提供するデータ処理装置を提供することである。
【００２９】
本発明の第１８の態様によれば、上記目的は、近距離通信ユニットを有するとともに、複数のデータファイルが中に記憶されている、取り外し可能な記憶媒体に関する追加情報を取得するデータ処理装置によって達成される。該データ処理装置は、
近距離通信読出しユニットと、
制御装置であって、
無線読出し信号を前記記憶媒体の前記近距離通信ユニットへ送信するよう前記近距離通信読出しユニットに命令し、
少なくともいくつかの前記データファイルに関する追加データを含む応答を前記近距離通信ユニットから受信し、
情報提示ユニットを介して、前記追加データをユーザに提示する
ように構成された制御装置と、
を備えることを特徴とする。
【００３０】
本発明の第１９の態様は第１８の態様の特徴を含み、情報提示ユニットを更に備える。
【００３１】
本発明の第２０の態様は第１８の態様の特徴を含み、前記データ処理装置は携帯電子装置である。
【００３２】
本発明の第２１の態様は第２０の態様の特徴を含み、前記携帯電子装置は携帯通信装置である。
【００３３】
本発明の第２２の態様は第２１の態様の特徴を含み、前記携帯通信装置は携帯電話機である。
【００３４】
本発明の第２３の態様は、近距離通信ユニットを有するとともに、複数のデータファイルが中に記憶されている取り外し可能な記憶媒体に関する追加情報を取得するデータ処理装置に係り、該データ処理装置は、
無線読出し信号を前記記憶媒体の近距離通信ユニットへ送信する手段と、
少なくともいくつかの前記データファイルに関する追加データを含む応答を前記近距離通信ユニットから受信する手段と、
前記追加データを前記データ処理装置のユーザに対して提示する手段と、
を備えることを特徴とする。
【００３５】
本発明の別の目的は、近距離通信ユニットを装備したリムーバブル記憶媒体にどのようなコンテンツが含まれているかに関する情報を提供して、ユーザがコンテンツを簡単に発見できるようにする代替の方法を提供するコンピュータプログラムを提供することである。
【００３６】
本発明の第２４の態様によれば、上記目的は、近距離通信ユニットを有する取り外し可能な記憶媒体に関する追加情報の提供を可能にするためのコンピュータプログラムによって達成される。このコンピュータプログラムは、データ処理装置の中へロードされたとき、当該データ処理装置に、
前記記憶媒体の近距離通信ユニットへの無線読出し信号の送信を命令するステップ、
少なくともいくつかの前記データファイルに関する追加データを含む応答を前記近距離通信ユニットから受信するステップ、
前記追加データを前記データ処理装置のユーザに対して提示するステップ、
を実行させる。
【００３７】
本発明の別の目的は、どのようなコンテンツが中に記憶されているかに関する情報を提供して、ユーザがコンテンツを簡単に発見できるようにするリムーバブル記憶媒体を代替の方法で提供することである。
【００３８】
本発明の第２５の態様によれば、上記目的は、近距離通信ユニットを有する取り外し可能な記憶媒体によって達成される。この記憶媒体は、ユーザによって記憶された複数のデータファイルを含み、上記近距離通信ユニットは、少なくともいくつかの前記データファイルに関する追加データを含む。
【発明の効果】
【００３９】
本発明には多くの効果がある。本発明によってユーザは、リムーバブル記憶媒体をデータ処理装置と接触させて、あるいは、データ処理装置に近接させて単に動かすことによって、どのようなタイプのコンテンツがリムーバブル記憶媒体に含まれているかを即座に知ることができるようになる。これはまた、媒体のサイズとは無関係に行われる。ユーザは媒体を装置と接続する必要はない。ユーザは媒体に何らかの電源を設ける必要もない。このようにして、その媒体がアクセスしたいと思っている媒体であるかどうかをチェックすることがユーザにとって非常に簡単になる。したがって、本発明は、リムーバブル記憶媒体の表面があまりに狭すぎてその表面に何も書込みができないとき、追加情報の提供を可能にする非常に使い勝手の良いものとなる。記憶媒体のコンテンツの変更を行うときはいつでも、リムーバブル記憶媒体に関連づけられた追加データの変更を行うこともさらに簡単である。
【００４０】
「備える／備えている（comprises/comprising）」という用語は、本明細書で使用する場合、言及された特徴、整数、ステップ又は構成の存在を特定するために用いられるが、これら以外の特徴、整数、ステップ、構成、又はこれらのグループの存在又は追加を排除するものではない、という点を強調しておく。
【００４１】
以下、添付図面と関連してさらに詳細に本発明について説明する。
【図面の簡単な説明】
【００４２】
【図１】携帯電話機の概略的な正面図。
【図２】近距離通信ユニットに設けられたリムーバブル記憶媒体を概略的に示す図。
【図３】リムーバブル記憶媒体及びこの媒体の近距離通信ユニットに接続された図１の電話機におけるユニットの概略ブロック図。
【図４】記憶媒体に記憶されたデータファイルに関する追加データを記憶する方法を示すフローチャート。
【図５】リムーバブル記憶媒体用との通信のために近距離通信ユニットを用いるときの、図１の電話機内のユニットの概略ブロック図。
【図６】近距離通信ユニットを用いて記憶媒体に格納されたデータファイルに関する追加データを取得する方法を示すフローチャート。
【図７】本発明の方法を実行するためのコンピュータプログラムコードを格納した、ＣＤ−ＲＯＭディスクの形の記憶媒体を概略的に示す図。
【発明を実施するための形態】
【００４３】
本発明は、データ処理装置用のリムーバブル記憶媒体並びにこのようなデータ処理装置に関する。本発明に係るデータ処理装置は携帯電子装置であってもよい。そして、この場合、携帯電話機などの携帯通信装置であってもよい。このような電話機１０を図１に正面図の形で概略的に示す。電話機１０には、液晶ディスプレイなどのディスプレイ１４で実現される情報提示ユニットと、複数のキーを含むキーパッド１２で実現される、ユーザからの入力を受信するためのユーザインタフェースと、リムーバブル記憶媒体を受容するための電話機１０の側部に設けられたスロット（破線のボックスで図示）とが含まれる。上記媒体は、装置が電話機である場合には、例えばメモリスティック (memory stick) が好適である。携帯電話機はこのような装置の単なる一例である。このような装置は、ラップトップ型コンピュータ、パームトップ型コンピュータ、電子手帳、スマートフォン、コミュニケータ、ゲーム機あるいはＰＣのようなものであってもよい。
【００４４】
図２は本発明の実施形態に従うリムーバブル記憶媒体を概略的に示す図である。リムーバブル記憶媒体は本図ではメモリスティック１８であり、このメモリスティックには第１のＮＦＣチップ２０の形で近距離通信ユニットが設けられる。このＮＦＣチップ２０は小型の限られたサイズのメモリも有している。第１のＮＦＣチップは、読出し用ＮＦＣチップから読出し信号が出力されると、受動エコー装置として機能することができるチップである。このような受動素子として提供される場合、第１のＮＦＣチップはまったく電源を必要としない。これは本発明の効果である。リムーバブル記憶媒体はメモリスティックのみに限定されるわけではなく、例えば、ＵＳＢメモリ、ＣＤ−ＲＯＭディスク又はフレキシブルディスクなどのような任意のタイプのリムーバブルメディアであってもよい。
【００４５】
図３は、スロットに挿入されたＮＦＣチップ２０を備えるメモリスティック１８と関連する図１の電話機内のユニットの概略ブロック図である。ここでは、第１のＮＦＣチップはメモリスティック１８とは別個に設けられたものとして示されている。この別個の配設は、第１のＮＦＣチップとメモリスティック１８とが、通信に関しては、直接相互にやりとりを行わない別個のエンティティであることを明示したものである。本図で電話機１０は制御装置２２を含み、この制御装置２２はディスプレイ１４とキーパッド１２並びにファイル記憶装置２８に接続されている。制御装置２２は第２の読出し用ＮＦＣチップ３０の形の近距離通信読出しユニットにさらに接続される。制御装置２２は、メモリスティック１８用の第１の電気的インタフェース２４及び第１のＮＦＣチップ２０用の第２の電気的インタフェース２６にも接続される。第２のインタフェース２６は不要となる場合もあるが、第１のインタフェース２４は、第１のＮＦＣチップ２０とメモリスティック１８の双方をインタフェースするために使用することができるか、あるいは、電話機に設けられた第２のＮＦＣチップ３０を代わりにインタフェースとして使用することができるかのいずれかとして使用できることを理解すべきである。しかし、本例では、第１のＮＦＣチップ２０が本発明の原理に従って追加データを受信できるようにするために、第１のＮＦＣチップ２０には電話機１０のバッテリ（図示せず）から得られる電源（図示せず）が提供される。本図には制御装置２２を介して通信を行うものとして種々のユニットが図示されている。しかし、この通信は、制御装置２２を介する代わりに共有データバスを用いて行うことも可能であることを理解すべきである。図３は、さらに、データファイルの受信を目的としてリムーバブル記憶媒体が電話機に接続されている状況を示す図である。このデータファイルの受信を行うためにはコンピュータを使用する方が電話機を使用する場合よりもユーザにとって使い勝手がよくなり得ることを理解すべきである。したがって、図３に示すユニットは単にＰＣ又はラップトップ型コンピュータにおいても実現できるものであることを理解すべきである。
【００４６】
以下、図３及び、記憶媒体に記憶されたデータファイルに関する追加データを格納する方法を示すフローチャートを示す図４を参照しながら、追加データがどのようにリムーバブル記憶媒体に供給されるかを説明する。
【００４７】
ユーザが、例えば電話機１０などのデータ処理装置の中へ自分のメモリスティック１８を挿入すると、制御装置２２は、メモリスティック１８が第１の電気的インタフェース２４に接続されていること、及び、第１のＮＦＣチップ２０が第２の電気的インタフェース２６に接続されていることを検出する。このようにして、装置１０のユーザは、制御装置２２の制御の下でデータファイルを例えば記憶装置２８からメモリスティック１８へ移すことができる。本例では、メモリスティック１８へ移すことができるファイルをディスプレイ１４上でユーザに提示することができ、そして、キーパッド１２を介してどのようなファイルを移動するかを選択することができる。次いで、この選択結果は制御装置２２によって受信され、制御装置２２は記憶装置２８からメモリスティック１８へファイルをコピーするか、移動させる。このようにしてユーザにより選択されたファイルはリムーバブル・メモリスティックの中に記憶されることになる（ステップ３１）。その後、制御装置２２は、記憶済みファイルに関する追加データを提供するオプションをユーザに提示する。ユーザがこのオファを断れば（ステップ３２）、本方法は終了する（ステップ３８）。しかし、ユーザがこのオファを応諾した場合（ステップ３２）、制御装置２２はユーザからの追加データの選択を待機する。ユーザはここで、例えばファイルの一般的コンテキストを示すデータなどの、キーパッドを用いてユーザ自身が自由に書き込む追加データを提供することができる。一例として、ファイルがカメラによりキャプチャされた画像である場合、ユーザは「休暇中の写真、０６年夏」というテキストを入力することができる。制御装置２２はまた、データを自動的に抽出し、このデータを第１のＮＦＣチップ２０に記憶することができる。例えば、これらのファイルがフォルダからとられた場合、そのフォルダ名を自動的に選択し、このフォルダ名を第１のＮＦＣチップ２０に記憶することができる。これらのファイルに関連づけられたデータがファイル自身の中に存在したり、関連づけられたメタデータとして存在したりすることも考えられる。その場合、メタデータは映画の題名、アーティスト名、又はこのようなデータの組み合わせであってもよい。この時、制御装置２２はこのデータを第１のＮＦＣチップ２０内の記憶装置用として自動的に選択することができる。ファイル名を自動的に選択することがさらに可能である。また、１以上のファイルに関連づけられた日付が存在してもよい。この日付はファイルを作成した日付であってもよい。この場合、このようなデータを選択し、次いで、このデータを第１のＮＦＣチップ２０に記憶することも可能である。記憶されているデータに制限を設ける理由がある場合、第１のＮＦＣチップ２０の利用可能な記憶空間に制限を設けるようにしてもよい。このようにして追加データの選択がユーザから受信された後、又は自動的に作成された後（ステップ３６）、この追加データは本例では第２のインタフェース２６を介して第１のＮＦＣチップ２０のメモリへ転送される。データが転送されたとき、本方法は終了する（ステップ３８）。
【００４８】
リムーバブル記憶媒体１８にデータファイルが提供され、そして、第１のＮＦＣチップ２０内の追加データが提供されると、リムーバブル記憶媒体１８をデータ処理装置から取り外して、しまっておくことができる。
【００４９】
ユーザがリムーバブル記憶媒体のファイルにアクセスしたいと思う場合、この同じリムーバブル記憶媒体の利用が長期間の後になされることがあるが、以下、その場合の利用について、図５及び図６を参照しながら説明する。図５は図３に描かれているものと同じ電話機１０のユニットを示す概略ブロック図である。しかし、本例では、メモリスティック１８は電話機１０のスロットの中へ挿入されずに、物理的接触状態にあるか、電話機１０の近傍にあり、それによって電話機１０において第２のＮＦＣチップ３０から第１のＮＦＣチップ２０に達することができる。図６は、記憶媒体に格納されたデータファイルに関する追加データをこれらの近距離通信ユニット２０と３０とを用いて取得する方法を示すフローチャートである。追加データの取得に用いられる装置は、リムーバブル記憶媒体にファイルを記憶するために用いられるものと同じ装置である必要はないことを理解すべきである。したがって、上記装置は別の装置であってもよい。しかし、本例では、本発明についての説明を単純化するために１つの同じ電話機を用いることにする。
【００５０】
ユーザがメモリスティック１８のコンテンツを調べたいと思ったとき、ユーザは、メモリスティックを電話機１０に近づけるか、電話機１０に触れる。これによって、電話機１０の第２のＮＦＣチップ３０はメモリスティック１８の存在を検出し、次いで、このことを制御装置２２へ通知する。これにより、第２のＮＦＣチップ３０は能動ユニットになる。制御装置２２は、この通知を受けると、読出し信号を第１のＮＦＣチップ２０へ送信するよう第２のＮＦＣチップ３０に命令する。次いで、第２のＮＦＣチップ３０はこの送信を行う（ステップ４０）。この読出し信号に対する応答又はエコーとして、第１のＮＦＣチップ２０はＮＦＣメモリで提供される追加データを送信し、このデータは第２のＮＦＣチップ３０によって受信され、次いで、制御装置２２へ転送される。第１のＮＦＣチップ２０は、応答時にまったく電源を必要としない。したがって、本例では第１のＮＦＣチップ２０は受動ユニットである。したがって、制御装置２２は、この追加データを受信し（ステップ４２）、その後この追加データをディスプレイ１４に提示する（ステップ４４）。
【００５１】
このようにして、ユーザは、単に電話機と接触させたり、電話機に近接させたりしてメモリスティックを動かすことによって、どのようなタイプのコンテンツがメモリスティックに含まれているかを即座に知ることが可能となる。これはまたスティックのサイズとは無関係に行われる。ユーザは、スティックをスロットの中へ入れる必要はない。ユーザはまた、第１のＮＦＣチップに何ら電源を設ける必要もない。このようにして、スティックが自分のアクセスしたいスティックであるかどうかをチェックすることがユーザにとって非常に簡単になる。スティックが自分のアクセスしたいスティックでなければ、単に別のメモリスティックを選んで、同じ処理手順を別のメモリスティックに対して実行するという単純な操作となる。したがって、本発明は非常に使い勝手の良いものであると共に、リムーバブル記憶媒体の表面が狭すぎてその表面に何も書込みができないとき、追加データの提供を可能にするものである。このようにして、記憶媒体のコンテンツの変更を行うときはいつでも、リムーバブル記憶媒体に関連づけられた追加データの変更を行うこともさらに簡単である。
【００５２】
制御装置は、種々の方法ステップを実行するための対応するプログラムコードを有するマイクロプロセッサの形で好適に提供されることが望ましい。図７に示すようにＣＤ−ＲＯＭディスク４６のようなデータキャリアのプログラムコードをさらに提供したり、あるいは、プログラムコードがデータ処理装置の中へロードされたとき、本発明の方法を実行する別のメモリスティックのプログラムコードをさらに提供したりすることが可能となる。代替例として、プログラムコードをダウンロードするダウンロード元であるサーバ上でプログラムコードをデータ処理装置へ提供することも可能である。
【００５３】
リムーバブル記憶媒体の中へファイルがロードされる装置内に第２のＮＦＣユニットを設ける必要はない。もっとも、第２のＮＦＣユニットが追加データの提示装置において必要であることは言うまでもない。追加データのチェックが行われる装置も第２のインタフェースを含む必要はない。リムーバブル記憶媒体に記憶されるファイルは任意のタイプのファイルであってもよいが、様々な種類のメディアファイルの方が望ましい。例えば、ユーザではなく、リムーバブルメディア上のデータファイルの提供者などのユーザ以外の別の通信相手が追加データを提供することがさらに可能である。これは例えば、リムーバブル記憶媒体がゲーム機用のゲームを含む場合が考えられる。リムーバブル記憶媒体の形で提供されるファイルの数は大きく変動するものであってもよい。この数は例えば１つのデータファイルのような数であってもよい。これらの様々な変更例に鑑み、本発明の範囲は特許請求の範囲に記載によってのみ限定されるべきである。
【図１】
2009541824.tif 000003
【図２】
2009541824.tif 000004
【図３】
2009541824.tif 000005
【図４】
2009541824.tif 000006
【図５】
2009541824.tif 000007
【図６】
2009541824.tif 000008
【図７】
2009541824.tif 000009
【手続補正書】
【提出日】平成20年4月19日(2008.4.19)
【手続補正１】
【補正対象書類名】特許請求の範囲
【補正対象項目名】全文
【補正方法】変更
【補正の内容】
【特許請求の範囲】
【請求項１】
近距離通信ユニット（２０）を有する取り外し可能な記憶媒体（１８）に関する追加情報の提供を可能にする方法であって、
前記記憶媒体（１８）がデータ処理装置（１０）に接続されたとき、前記データ処理装置（１０）を介して、データファイルを前記記憶媒体（１８）に格納するステップ（３１）と、
ユーザが少なくともいくつかの前記データファイルに関して提供される追加データ（３２）を選択したとき（３４）、当該追加データを前記近距離通信ユニット（２０）に格納するステップ（３６）と、
を有することを特徴とする方法。
【請求項２】
少なくともいくつかの前記追加データを自動的にフェッチするステップを更に有することを特徴とする請求項１に記載の方法。
【請求項３】
前記追加データは、格納されたファイルからフェッチされることを特徴とする請求項２に記載の方法。
【請求項４】
前記追加データは、少なくともいくつかのファイルに関連づけられたメタデータからフェッチされることを特徴とする請求項２又は３に記載の方法。
【請求項５】
前記追加データは、前記データファイルがフェッチされたフォルダのフォルダ名を含むことを特徴とする請求項２乃至４のいずれか１項に記載の方法。
【請求項６】
前記追加データは、少なくとも１つのデータファイルに関連づけられた日付情報を含むことを特徴とする請求項２乃至５のいずれか１項に記載の方法。
【請求項７】
前記ユーザから追加データを受信するステップを更に有することを特徴とする請求項１乃至６のいずれか１項に記載の方法。
【請求項８】
近距離通信ユニット（２０）を有する取り外し可能な記憶媒体（１８）に接続されたデータ処理装置（１０）であって、
前記記憶媒体（１８）との第１の電気的インタフェース（２４）と、
前記近距離通信ユニット（２０）とのインタフェース（２６）と、
ユーザからの入力を受信するためのユーザインタフェース（１２）と、
制御装置（２２）であって、
前記記憶媒体（１８）が前記電気的インタフェース（２４）に接続されたとき、データファイルを前記記憶媒体（１８）に格納し、
ユーザが少なくともいくつかの前記データファイルに関して提供される追加データを前記ユーザインタフェース（１２）を介して選択したとき、前記近距離通信ユニット（２０）との前記インタフェース（２６）を介して、当該追加データを前記近距離通信ユニット（２０）に格納する
ように構成された制御装置（２２）と、
を備えることを特徴とするデータ処理装置（１０）。
【請求項９】
前記制御装置（２２）は更に、少なくともいくつかの前記追加データを自動的にフェッチすることを特徴とする請求項８に記載のデータ処理装置（１０）。
【請求項１０】
前記追加データは、格納されたファイルからフェッチされることを特徴とする請求項９に記載のデータ処理装置（１０）。
【請求項１１】
前記追加データは、少なくともいくつかのファイルによって関連づけられたメタデータからフェッチされることを特徴とする請求項９又は１０に記載のデータ処理装置（１０）。
【請求項１２】
前記追加データは、前記データファイルがフェッチされたフォルダのフォルダ名を含むことを特徴とする請求項９乃至１１のいずれか１項に記載のデータ処理装置（１０）。
【請求項１３】
前記追加データは、少なくとも１つのデータファイルに関連づけられた日付情報を含むことを特徴とする請求項９乃至１２のいずれか１項に記載のデータ処理装置（１０）。
【請求項１４】
前記制御装置（２２）は更に、前記ユーザから追加データを受信することを特徴とする請求項８乃至１３のいずれか１項に記載のデータ処理装置（１０）。
【請求項１５】
近距離通信ユニット（２０）を有する取り外し可能な記憶媒体（１８）に関する追加情報の提供を可能にするためのコンピュータプログラムであって、当該コンピュータプログラムがデータ処理装置（１０）にロードされたとき、当該データ処理装置に、
前記記憶媒体（１８）が前記データ処理装置（１０）に接続されたとき、データファイルを前記記憶媒体（１８）に格納するステップ、
ユーザが、少なくともいくつかの前記データファイルに関して提供される追加データを選択したとき、当該追加データを前記近距離通信ユニット（２０）に格納するステップ、
を実行させるためのコンピュータプログラム。
【請求項１６】
近距離通信ユニット（２０）を有するとともに、複数のデータファイルが中に記憶されている、取り外し可能な記憶媒体（１８）に関する追加情報をデータ処理装置（１０）において取得する方法であって、
無線読出し信号を前記記憶媒体（１８）の近距離通信ユニット（２０）へ送信するステップ（４０）と、
少なくともいくつかの前記データファイルに関する追加データを含む応答を前記近距離通信ユニット（２０）から受信するステップ（４２）と、
前記追加データを前記データ処理装置（１０）のユーザに対して提示する（４４）ステップと、
を有することを特徴とする方法。
【請求項１７】
近距離通信ユニット（２０）を有するとともに、複数のデータファイルが中に記憶されている、取り外し可能な記憶媒体（１８）に関する追加情報を取得するデータ処理装置（１０）であって、
近距離通信読出しユニット（３０）と、
制御装置（２２）であって、
無線読出し信号を前記記憶媒体（１８）の前記近距離通信ユニット（２０）へ送信するよう前記近距離通信読出しユニット（３０）に命令し、
少なくともいくつかの前記データファイルに関する追加データを含む応答を前記近距離通信ユニット（２０）から受信し、
情報提示ユニット（１４）を介して、前記追加データをユーザに提示する
ように構成された制御装置（２２）と、
を備えることを特徴とするデータ処理装置（１０）。
【請求項１８】
前記情報提示ユニット（１４）を更に備えることを特徴とする請求項１７に記載のデータ処理装置（１０）。
【請求項１９】
前記データ処理装置は携帯電子装置であることを特徴とする請求項１７又は１８に記載のデータ処理装置（１０）。
【請求項２０】
前記携帯電子装置は携帯通信装置であることを特徴とする請求項１９に記載のデータ処理装置（１０）。
【請求項２１】
前記携帯通信装置は携帯電話機であることを特徴とする請求項２０に記載のデータ処理装置（１０）。
【請求項２２】
近距離通信ユニット（２０）を有する取り外し可能な記憶媒体（１８）に関する追加情報の提供を可能にするためのコンピュータプログラムであって、当該コンピュータプログラムがデータ処理装置（１０）にロードされたとき、当該データ処理装置に、
前記記憶媒体（１８）の近距離通信ユニット（２０）への無線読出し信号の送信を命令するステップ、
少なくともいくつかの前記データファイルに関する追加データを含む応答を前記近距離通信ユニット（２０）から受信するステップ、
前記追加データを前記データ処理装置（１０）のユーザに対して提示するステップ、
を実行させるためのコンピュータプログラム。
【請求項２３】
近距離通信ユニット（２０）を有する取り外し可能な記憶媒体（１８）であって、
前記記憶媒体（１８）は、ユーザによって格納された複数のデータファイルを含み、
前記近距離通信ユニット（２０）は、少なくともいくつかの前記データファイルに関する追加データを含む
ことを特徴とする記憶媒体（１８）。
【国際調査報告】
2009541824.tif 000010
2009541824.tif 000011
2009541824.tif 000012